(57)【要約】【課題】本願発明は、伝送路でビットエラーが生じても、フレーム同期確立状態に移行しやすいフレーム同期技術を提供することを目的とする。【解決手段】上記課題を解決するために、本願発明の光送信装置は、同期ワードを含めた電気信号にエラー訂正用の符号を付加してから光信号に変換して送信する。本願発明の光受信装置は、受信した光信号を電気信号に変換した後、同期ワードを含めた電気信号をエラー訂正し、エラー訂正した電気信号に含まれる同期ワードのうち、許容値以下のビットエラーの同期ワードの連続をカウントして規定数に達したときにフレーム同期確立と判定する。【選択図】図４
2012199817.tif 000002
【特許請求の範囲】
【請求項１】
入力されるデータ信号に同期ワードを付加してフレーム付加電気信号を生成するフレーム生成回路と、
前記フレーム生成回路からの前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコーダと、
前記ＦＥＣエンコーダからの前記エラー訂正付加電気信号を光信号に変換して送信する電気光変換回路と、
を備える光送信装置及び
前記電気光変換回路からの前記光信号を受信し、受信した光信号を光電気変換して前記エラー訂正付加電気信号を再生する光電気変換回路と、
前記光電気変換回路からの前記エラー訂正付加電気信号から前記同期ワードを検出し、フレーム同期のとれたエラー訂正付加電気信号を出力する前段同期ワード検出回路と、
前記前段同期ワード検出回路からの前記フレーム同期のとれたエラー訂正付加電気信号を前記同期ワードを含めてエラー訂正し、前記フレーム付加電気信号を再生するＦＥＣデコーダと、
前記前段同期ワード検出回路が前記同期ワードを検出してから所定フレーム以内に、前記ＦＥＣデコーダからの前記フレーム付加電気信号に含まれる前記同期ワードのうち許容値以下のビットエラーの同期ワードの連続をカウントして規定数に達したときにフレーム同期確立と判定し、前記前段同期ワード検出回路が前記同期ワードを検出してから所定フレーム以内に、前記ＦＥＣデコータからの前記フレーム付加電気信号に含まれる前記同期ワードのうち許容値以下のビットエラーの同期ワードの連続をカウントして規定数に達しないときに、前記前段同期ワード検出回路に再び同期ワードの検出を開始させる後段フレーム同期検出回路と、
前記ＦＥＣデコーダからの前記フレーム付加電気信号から前記同期ワードを除去して前記データ信号を再生するフレーム終端回路と、
を備える光受信装置を有する光送受信システム。
【請求項２】
前記光受信装置は、
前記前段同期ワード検出回路の検出する前記同期ワードのうち許容値以下のビットエラーの同期ワードの連続をカウントして規定数に達したときに仮フレーム同期確立と判定する前段フレーム同期検出回路をさらに備え、
前記ＦＥＣデコーダは、前記仮フレーム同期確立によりエラー訂正を開始することを特徴とする請求項１に記載の光送受信システム。
【請求項３】
入力されるデータ信号に同期ワードを付加してフレーム付加電気信号を生成するフレーム生成手順と、
前記フレーム生成手順の後、前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順と、
前記ＦＥＣエンコード手順の後、前記エラー訂正付加電気信号を光信号に変換して送信する電気光変換手順と、
前記電気光変換手順の後、前記光信号を受信し、受信した光信号を光電気変換して前記エラー訂正付加電気信号を再生する光電気変換手順と、
前記光電気変換手順の後、前記エラー訂正付加電気信号から前記同期ワードを検出し、フレーム同期のとれたエラー訂正付加電気信号を出力する前段同期ワード検出手順と、
前記前段同期ワード検出手順の後、前記フレーム同期のとれたエラー訂正付加電気信号を前記同期ワードを含めてエラー訂正し、前記フレーム付加電気信号を再生するＦＥＣデコード手順と、
前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達したときにフレーム同期確立と判定し、前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達しないときに、前記前段同期ワード検出手順に戻る後段フレーム同期検出手順と、
前記後段フレーム同期検出手順の後、フレーム同期確立した前記フレーム付加電気信号から前記同期ワードを除去して前記データ信号を再生するフレーム終端手順と、
を備える光送受信手順。
【請求項４】
前記前段同期ワード検出手順と前記ＦＥＣデコード手順との間に、前記前段同期ワード検出手順で検出する前記同期ワードのうち許容値以下のビットエラーの同期ワードの連続をカウントして規定数に達したときに仮フレーム同期確立と判定する前段フレーム同期検出手順を、さらに備え、
前記ＦＥＣデコード手順は、前記仮フレーム同期確立によりエラー訂正を開始することを特徴とする請求項３に記載の光送受信手順。
【請求項５】
電気光変換回路からの光信号を受信し、受信した光信号を光電気変換してエラー訂正付加電気信号を再生する光電気変換回路と、
前記光電気変換回路からの前記エラー訂正付加電気信号から同期ワードを検出し、フレーム同期のとれたエラー訂正付加電気信号を出力する前段同期ワード検出回路と、
前記前段同期ワード検出回路からの前記フレーム同期のとれたエラー訂正付加電気信号を前記同期ワードを含めてエラー訂正し、フレーム付加電気信号を再生するＦＥＣデコーダと、
前記前段同期ワード検出回路が前記同期ワードを検出してから所定フレーム以内に、前記ＦＥＣデコーダからの前記フレーム付加電気信号に含まれる前記同期ワードのうち許容値以下のビットエラーの同期ワードの連続をカウントして規定数に達したときにフレーム同期確立と判定し、前記前段同期ワード検出回路が前記同期ワードを検出してから所定フレーム以内に、前記ＦＥＣデコータからの前記フレーム付加電気信号に含まれる前記同期ワードのうち許容値以下のビットエラーの同期ワードの連続をカウントして規定数に達しないときに、前記前段同期ワード検出回路に再び同期ワードの検出を開始させる後段フレーム同期検出回路と、
前記ＦＥＣデコーダからの前記フレーム付加電気信号から前記同期ワードを除去してデータ信号を再生するフレーム終端回路とを備える光受信装置。
【請求項６】
前記前段同期ワード検出回路の検出する前記同期ワードのうち許容値以下のビットエラーの同期ワードの連続をカウントして規定数に達したときに仮フレーム同期確立と判定する前段フレーム同期検出回路をさらに備え、
前記ＦＥＣデコーダは、前記仮フレーム同期確立によりエラー訂正を開始することを特徴とする請求項５に記載の光受信装置。
【請求項７】
光信号を受信し、受信した光信号を光電気変換してエラー訂正付加電気信号を再生する光電気変換手順と、
前記光電気変換手順の後、前記エラー訂正付加電気信号から同期ワードを検出し、フレーム同期のとれたエラー訂正付加電気信号を出力する前段同期ワード検出手順と、
前記前段同期ワード検出手順の後、前記フレーム同期のとれたエラー訂正付加電気信号を前記同期ワードを含めてエラー訂正し、フレーム付加電気信号を再生するＦＥＣデコード手順と、
前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達したときにフレーム同期確立と判定し、前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達しないときに、前記前段同期ワード検出手順に戻る後段フレーム同期検出手順と、
前記後段フレーム同期検出手順の後、フレーム同期確立した前記フレーム付加電気信号から前記同期ワードを除去してデータ信号を再生するフレーム終端手順と、
を備える光受信手順。
【請求項８】
前記前段同期ワード検出手順と前記ＦＥＣデコード手順との間に、前記前段同期ワード検出手順で検出する前記同期ワードのうち許容値以下のビットエラーの同期ワードの連続をカウントして規定数に達したときに仮フレーム同期確立と判定する前段フレーム同期検出手順を、さらに備え、
前記ＦＥＣデコード手順は、前記仮フレーム同期確立によりエラー訂正を開始することを特徴とする請求項７に記載の光受信手順。
【請求項９】
光信号を受信し、受信した光信号を光電気変換してエラー訂正付加電気信号を再生する光電気変換ステップと、
前記光電気変換ステップの後、前記エラー訂正付加電気信号から同期ワードを検出し、フレーム同期のとれたエラー訂正付加電気信号を出力する前段同期ワード検出ステップと、
前記前段同期ワード検出ステップの後、前記フレーム同期のとれたエラー訂正付加電気信号を前記同期ワードを含めてエラー訂正し、フレーム付加電気信号を再生するＦＥＣデコードステップと、
前記前段同期ワード検出ステップで前記同期ワードを検出してから所定フレーム以内に、前記ＦＥＣデコードステップで再生した前記フレーム付加電気信号に含まれる前記同期ワードのうち許容値以下のビットエラーの同期ワードの連続をカウントして規定数に達したときにフレーム同期確立と判定し、前記前段同期ワード検出ステップで前記同期ワードを検出してから所定フレーム以内に、前記ＦＥＣデコードステップで再生した前記フレーム付加電気信号に含まれる前記同期ワードのうち許容値以下のビットエラーの同期ワードの連続をカウントして規定数に達しないときに、前記前段同期ワード検出ステップに戻る後段フレーム同期検出ステップと、
前記後段フレーム同期検出ステップの後、フレーム同期確立した前記フレーム付加電気信号から前記同期ワードを除去してデータ信号を再生するフレーム終端ステップと、
をコンピュータに実行させるための光受信プログラム。
【請求項１０】
前記前段同期ワード検出ステップと前記ＦＥＣデコードステップとの間に、前記前段同期ワード検出ステップで検出する前記同期ワードのうち許容値以下のビットエラーの同期ワードの連続をカウントして規定数に達したときに仮フレーム同期確立と判定する前段フレーム同期検出ステップを、さらに備え、
前記ＦＥＣデコードステップは、前記仮フレーム同期確立によりエラー訂正を開始することを特徴とする請求項９に記載の光受信プログラム。
【発明の詳細な説明】
【技術分野】
【０００１】
本発明は、光送受信システム及び光受信装置におけるフレーム同期技術に関するものである。
【背景技術】
【０００２】
現在、光伝送方式では伝送路の信頼性を向上させるために、様々な試みがなされている。例えば、フレーム同期回路を複数系統並列に持って、いずれかでフレーム同期をとる技術が提案されている（例えば、特許文献１参照。）。しかし、エラーの多い伝送路に対しては効果が期待できない。
【０００３】
また、ディジタル回路技術の進歩により、エラー訂正能力の高いＦＥＣ（Ｆｏｒｗａｒｄ  Ｅｒｒｏｒ  Ｃｏｒｒｅｃｔｉｏｎ）技術が実現、適用できるようになってきた。このようなＦＥＣ技術を用いて、エラー訂正をすることにより伝送路の信頼性を高めることができる。
【０００４】
現在のＯＴＮ（Ｏｐｔｉｃａｌ  Ｔｒａｎｓｐｏｒｔ  Ｎｅｔｗｏｒｋ）に適用されているフレーム構成の例を図１に示す。図１において、１フレームは１６，３２０バイトからなっており、そのうち、同期ワードは先頭の６バイトが割り振られている。
【０００５】
このようなフレーム構成に対して、従来の光送受信システムの構成を図２に示す。図２において、７０は光送信装置、７１はフレーム生成回路、７２はＦＥＣエンコーダ、７５は電気光変換回路、４０は光ファイバ伝送路、８０は光受信装置、８５は光電気変換回路、８２はＦＥＣデコーダ、８１はフレーム終端回路、９１は同期ワード検出回路、９２はフレーム同期検出回路、９５は受信器フレーム同期表示回路である。
【０００６】
図２に示す光送受信システムの動作を表すタイムチャートを図３に示す。フレーム生成回路７１で生成されたフレームを同期ワード検出回路９１で同期ワードを検出する。図２において、フレーム同期検出回路９２がフレーム番号＃３の同期ワードでビットエラーのないことを検出すると、フレーム同期検出信号を出力する。
【０００７】
光ファイバ伝送路のエラーレートが高くなると、ＯＴＮフレームの同期ワードにもエラーが含まれる確率が高くなる。フレーム同期検出回路９２がフレーム番号＃４でビットエラーを検出すると、フレーム同期確立保護カウンタは１以上とならず、フレーム同期確立には至らない。受信器フレーム同期表示回路９５は、受信器フレーム同期表示信号をＬｏｗのままとする。
【先行技術文献】
【特許文献】
【０００８】
【特許文献１】特開平１１−３３１１４０号公報
【発明の概要】
【発明が解決しようとする課題】
【０００９】
図２における光送信装置７０が正常なＯＴＮフレームを送信しているにも拘わらず、光受信装置８０は、フレーム同期確立状態に移行できるまでに長い時間を要するという問題がある。フレーム同期確立状態に移行するまで長い時間を要すると、廃棄されるデータ信号が多くなり、通信回線のスループットが劣化するという課題が発生する。
【００１０】
そこで、本願発明は、伝送路でビットエラーが生じても、フレーム同期確立状態に移行しやすいフレーム同期技術を提供することを目的とする。
【課題を解決するための手段】
【００１１】
本願発明は、入力されるデータ信号に同期ワードを付加してフレーム付加電気信号を生成するフレーム生成回路と、前記フレーム生成回路からの前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコーダと、前記ＦＥＣエンコーダからの前記エラー訂正付加電気信号を光信号に変換して送信する電気光変換回路と、を備える光送信装置及び前記電気光変換回路からの前記光信号を受信し、受信した光信号を光電気変換して前記エラー訂正付加電気信号を再生する光電気変換回路と、前記光電気変換回路からの前記エラー訂正付加電気信号から前記同期ワードを検出し、フレーム同期のとれたエラー訂正付加電気信号を出力する前段同期ワード検出回路と、前記前段同期ワード検出回路からの前記フレーム同期のとれたエラー訂正付加電気信号を前記同期ワードを含めてエラー訂正し、前記フレーム付加電気信号を再生するＦＥＣデコーダと、前記前段同期ワード検出回路が前記同期ワードを検出してから所定フレーム以内に、前記ＦＥＣデコーダからの前記フレーム付加電気信号に含まれる前記同期ワードのうち許容値以下のビットエラーの同期ワードの連続をカウントして規定数に達したときにフレーム同期確立と判定し、前記前段同期ワード検出回路が前記同期ワードを検出してから所定フレーム以内に、前記ＦＥＣデコータからの前記フレーム付加電気信号に含まれる前記同期ワードのうち許容値以下のビットエラーの同期ワードの連続をカウントして規定数に達しないときに、前記前段同期ワード検出回路に再び同期ワードの検出を開始させる後段フレーム同期検出回路と、前記ＦＥＣデコーダからの前記フレーム付加電気信号から前記同期ワードを除去して前記データ信号を再生するフレーム終端回路と、を備える光受信装置を有する光送受信システムである。
【００１２】
本願発明は、入力されるデータ信号に同期ワードを付加してフレーム付加電気信号を生成するフレーム生成手順と、前記フレーム生成手順の後、前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順と、前記ＦＥＣエンコード手順の後、前記エラー訂正付加電気信号を光信号に変換して送信する電気光変換手順と、前記電気光変換手順の後、前記光信号を受信し、受信した光信号を光電気変換して前記エラー訂正付加電気信号を再生する光電気変換手順と、前記光電気変換手順の後、前記エラー訂正付加電気信号から前記同期ワードを検出し、フレーム同期のとれたエラー訂正付加電気信号を出力する前段同期ワード検出手順と、前記前段同期ワード検出手順の後、前記フレーム同期のとれたエラー訂正付加電気信号を前記同期ワードを含めてエラー訂正し、前記フレーム付加電気信号を再生するＦＥＣデコード手順と、前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達したときにフレーム同期確立と判定し、前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達しないときに、前記前段同期ワード検出手順に戻る後段フレーム同期検出手順と、前記後段フレーム同期検出手順の後、フレーム同期確立した前記フレーム付加電気信号から前記同期ワードを除去して前記データ信号を再生するフレーム終端手順と、を備える光送受信手順である。
【００１３】
本願発明は、電気光変換回路からの光信号を受信し、受信した光信号を光電気変換してエラー訂正付加電気信号を再生する光電気変換回路と、前記光電気変換回路からの前記エラー訂正付加電気信号から同期ワードを検出し、フレーム同期のとれたエラー訂正付加電気信号を出力する前段同期ワード検出回路と、前記前段同期ワード検出回路からの前記フレーム同期のとれたエラー訂正付加電気信号を前記同期ワードを含めてエラー訂正し、フレーム付加電気信号を再生するＦＥＣデコーダと、前記前段同期ワード検出回路が前記同期ワードを検出してから所定フレーム以内に、前記ＦＥＣデコーダからの前記フレーム付加電気信号に含まれる前記同期ワードのうち許容値以下のビットエラーの同期ワードの連続をカウントして規定数に達したときにフレーム同期確立と判定し、前記前段同期ワード検出回路が前記同期ワードを検出してから所定フレーム以内に、前記ＦＥＣデコータからの前記フレーム付加電気信号に含まれる前記同期ワードのうち許容値以下のビットエラーの同期ワードの連続をカウントして規定数に達しないときに、前記前段同期ワード検出回路に再び同期ワードの検出を開始させる後段フレーム同期検出回路と、前記ＦＥＣデコーダからの前記フレーム付加電気信号から前記同期ワードを除去してデータ信号を再生するフレーム終端回路とを備える光受信装置である。
【００１４】
本願発明は、光信号を受信し、受信した光信号を光電気変換してエラー訂正付加電気信号を再生する光電気変換手順と、前記光電気変換手順の後、前記エラー訂正付加電気信号から同期ワードを検出し、フレーム同期のとれたエラー訂正付加電気信号を出力する前段同期ワード検出手順と、前記前段同期ワード検出手順の後、前記フレーム同期のとれたエラー訂正付加電気信号を前記同期ワードを含めてエラー訂正し、フレーム付加電気信号を再生するＦＥＣデコード手順と、前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達したときにフレーム同期確立と判定し、前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達しないときに、前記前段同期ワード検出手順に戻る後段フレーム同期検出手順と、前記後段フレーム同期検出手順の後、フレーム同期確立した前記フレーム付加電気信号から前記同期ワードを除去してデータ信号を再生するフレーム終端手順と、を備える光受信手順である。
【００１５】
本願発明は、光信号を受信し、受信した光信号を光電気変換してエラー訂正付加電気信号を再生する光電気変換ステップと、前記光電気変換ステップの後、前記エラー訂正付加電気信号から同期ワードを検出し、フレーム同期のとれたエラー訂正付加電気信号を出力する前段同期ワード検出ステップと、前記前段同期ワード検出ステップの後、前記フレーム同期のとれたエラー訂正付加電気信号を前記同期ワードを含めてエラー訂正し、フレーム付加電気信号を再生するＦＥＣデコードステップと、前記前段同期ワード検出ステップで前記同期ワードを検出してから所定フレーム以内に、前記ＦＥＣデコードステップで再生した前記フレーム付加電気信号に含まれる前記同期ワードのうち許容値以下のビットエラーの同期ワードの連続をカウントして規定数に達したときにフレーム同期確立と判定し、前記前段同期ワード検出ステップで前記同期ワードを検出してから所定フレーム以内に、前記ＦＥＣデコードステップで再生した前記フレーム付加電気信号に含まれる前記同期ワードのうち許容値以下のビットエラーの同期ワードの連続をカウントして規定数に達しないときに、前記前段同期ワード検出ステップに戻る後段フレーム同期検出ステップと、前記後段フレーム同期検出ステップの後、フレーム同期確立した前記フレーム付加電気信号から前記同期ワードを除去してデータ信号を再生するフレーム終端ステップと、をコンピュータに実行させるための光受信プログラムである。
【発明の効果】
【００１６】
本願発明によれば、伝送路でビットエラーが生じても、フレーム同期確立状態に移行しやすいフレーム同期技術を提供することができる。
【図面の簡単な説明】
【００１７】
【図１】現在のＯＴＮに適用されているフレーム構成の例
【図２】従来の光送受信システムの構成例
【図３】従来の光送受信システムの動作を表すタイムチャートの例
【図４】本実施形態の光送受信システムの構成例
【図５】光受信装置の動作を表すタイムチャートの例
【図６】本実施形態の光送受信手順
【図７】本実施形態の光送受信システムの構成例
【図８】本実施形態の光送受信システムの構成例
【図９】光受信装置の動作を表すタイムチャートの例
【図１０】光受信装置の動作を表すタイムチャートの例
【図１１】本実施形態の光送受信手順の例
【図１２】本実施形態の光送受信システムの構成例
【図１３】本実施形態のコンピュータに実行させるための光受信プログラムの例
【図１４】本実施形態のコンピュータに実行させるための光受信プログラムの例
【図１５】本実施形態の光電気変換回路の構成例
【発明を実施するための形態】
【００１８】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１９】
（実施形態１）
本実施形態の光送受信システムの構成例を図４に示す。図４において、光送受信システムは、光送信装置１０及び光受信装置２０を有し、両者は光ファイバ伝送路４０で接続されている。光ファイバ伝送路４０の途中には光中継器等が接続されていてもよい。
【００２０】
光送信装置１０は、入力されるデータ信号に同期ワードを付加してフレーム付加電気信号を生成するフレーム生成回路１１と、フレーム生成回路１１からのフレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコーダ１２と、ＦＥＣエンコーダ１２からのエラー訂正付加電気信号を光信号に変換して送信する電気光変換回路１５と、を備える。
【００２１】
光受信装置２０は、電気光変換回路１５からの光信号を受信し、受信した光信号を光電気変換してエラー訂正付加電気信号を再生する光電気変換回路２５と、光電気変換回路２５からのエラー訂正付加電気信号から同期ワードを検出し、フレーム同期のとれたエラー訂正付加電気信号を出力する前段同期ワード検出回路３１と、前段同期ワード検出回路３１からのフレーム同期のとれたエラー訂正付加電気信号を、同期ワードを含めてエラー訂正し、フレーム付加電気信号を再生するＦＥＣデコーダ２２と、ＦＥＣデコーダ２２からのフレーム付加電気信号から同期ワードを検出し、フレーム同期のとれたフレーム付加電気信号を出力する後段同期ワード検出回路３７と、前段同期ワード検出回路３１が同期ワードを検出してから所定フレーム以内に、ＦＥＣデコーダ２２からのフレーム付加電気信号に含まれる同期ワードのうち許容値以下のビットエラーの同期ワードの連続をカウントして規定数に達したときにフレーム同期確立と判定し、前段同期ワード検出回路３１が同期ワードを検出してから所定フレーム以内に、ＦＥＣデコータ２２からのフレーム付加電気信号に含まれる同期ワードのうち許容値以下のビットエラーの同期ワードの連続をカウントして規定数に達しないときに、前段同期ワード検出回路３１に再び同期ワードの検出を開始させる後段フレーム同期検出回路３６と、後段フレーム同期検出回路３６からの後段フレーム同期検出信号に基づいてフレーム同期確立状態とする受信器フレーム同期表示出力回路３５と、後段同期ワード検出回路３７からのフレーム付加電気信号から同期ワードを除去してデータ信号を再生するフレーム終端回路２１と、を備える。
【００２２】
光受信装置２０では、光電気変換回路２５は受信した光信号を光電気変換してエラー訂正付加電気信号を再生する。前段同期ワード検出回路３１は、光電気変換回路２５からのエラー訂正付加電気信号から同期ワードを検出する。例えば、図１に示すようなＯＴＮフレーム構成であれば、フレームの先頭にある６バイトからなる同期ワードを検出する。前段同期ワード検出回路３１は、ビットエラーのない同期ワードだけを検出してもよいし、許容値以下のビットエラーの同期ワードを検出してもよい。前段同期ワード検出回路３１が同期ワードを検出すると、前段同期ワード検出回路３１は、同期ワードの検出を中止したり、フレーム同期のとれたエラー訂正付加電気信号を出力したり、フレーム終端回路２１は、データ信号を出力したりしてもよい。ＦＥＣデコーダ２２は、前段同期ワード検出回路３１からのフレーム同期のとれたエラー訂正付加電気信号を、同期ワードを含めてエラー訂正し、フレーム付加電気信号を再生する。フレーム付加電気信号はエラー訂正されているため、ビットエラーが少なくなっている。
【００２３】
後段同期ワード検出回路３７は、ＦＥＣデコーダ２２で再生されたフレーム付加電気信号から同期ワードを検出する。ＦＥＣデコーダ２２で再生されたフレーム付加電気信号はビットエラーが少なく、安定かつ迅速に同期ワードを検出することができる。
【００２４】
後段フレーム同期検出回路３６は、後段同期ワード検出回路３７の検出する同期ワードのうち許容値以下のビットエラーの同期ワードの連続を同期保護カウンタ（不図示）でカウントする。許容値が０の場合は、ビットエラーのない同期ワードの連続をカウントすることになる。前段同期ワード検出回路３１が同期ワードを検出してから所定フレーム以内に、同期ワードの連続数が規定数に達したときにフレーム同期確立と判定する。許容値以下のビットエラーの同期ワードの連続数の規定数をフレーム同期検出保護段数という。受信器フレーム同期表示出力回路３５は、後段フレーム同期検出回路３６からのフレーム同期検出信号に基づいてフレーム同期確立状態とする受信器フレーム同期表示信号を出力する。前段同期ワード検出回路３１が同期ワードを検出してから所定フレーム以内に、同期ワードのうち許容値以下のビットエラーの同期ワードの連続をカウントして規定数に達しないときに、後段フレーム同期検出回路３６は、前段同期ワード検出回路３１に再び同期ワードの検出を開始させる。
【００２５】
図４では、ＦＥＣデコーダ２２の後に後段同期ワード検出回路３７を設けて、後段同期ワード検出回路３７の検出した同期ワードから、許容値以下のビットエラーの同期ワードの連続を後段同期保護カウンタ（不図示）でカウントしている。しかし、前段同期ワード検出回路３１によって、すでに同期ワードの位置が分かっている。そのため、後段フレーム同期検出回路３６は、ＦＥＣデコーダ２２からのフレーム付加電気信号の中から、分かった位置の同期ワードと予め決めておいた同期ワードとを比較して、その同期ワードから、許容値以下のビットエラーの同期ワードの連続を後段同期保護カウンタ（不図示）でカウントしてもよい。この場合は、後段同期ワード検出回路３７は不用となる。
【００２６】
受信器フレーム同期表示出力回路３５がフレーム同期確立状態とする受信器フレーム同期表示信号を出力すると、フレーム終端回路２１は、データ信号の出力を開始したり、前段同期ワード検出回路３１は、そのまま同期ワードの探索の中止を継続したりする。
【００２７】
本実施形態の後段フレーム同期検出回路３６は、ＦＥＣエンコーダ２２の出力するエラー訂正のされたフレーム付加電気信号から許容値以下のビットエラーの同期ワードの連続を同期保護カウンタ（不図示）でカウントするため、伝送路でビットエラーが生じても、容易にフレーム同期確立状態に移行することができる。その結果、フレーム終端回路２１は、データ信号を迅速に出力したり、前段同期ワード検出回路３１が同期ワードの再探索を開始したりすることが少なくなる。つまり、フレーム同期確立状態に移行し易い。
【００２８】
図４における光電気変換回路２５の例として、図１５にディジタルコヒレント光受信回路の例を示す。電気光変換回路１５からの光信号がディジタルコヒレント光信号の場合の例である。ディジタルコヒレント光受信回路５００は、光を直交する偏波光に分離する偏波ビームスプリッタ５１１、５１２、光を合成してＩ成分及びＱ成分に分離する光ハイブリッド回路５２１、５２２、光信号を電気信号に変換するＯ／Ｅ変換部５３１、５３２、アナログ信号をディジタル信号に変換するＡ／Ｄ変換部５４１、５４２、ディジタル処理をして元のディジタル信号を再生するディジタル信号処理部５５０、入力する光信号と同じ又は同等の発振周波数で発振する局部発振光源５６０を備える。
【００２９】
光信号が偏波ビームスプリッタ５１１に入力されると、偏波ビームスプリッタ５１１でＸ方向とＹ方向の偏波光に分離される。局部発振光源５６０からの光信号が偏波ビームスプリッタ５１２に入力されると、偏波ビームスプリッタ５１２でＸ方向とＹ方向の偏波光に分離される。それぞれ同方向の偏波光は光ハイブリッド回路５２１、５２２で合成されて、Ｉ成分とＱ成分に分離される。分離された光はＯ／Ｅ変換部５３１、５３２でそれぞれ電気信号に変換される。電気信号に変換された後、Ａ／Ｄ変換部５４１、５４２でそれぞれＩ成分電気信号及びＱ成分電気信号として出力される。ディジタル信号処理部５５０では、これらのＩ成分電気信号及びＱ成分電気信号をディジタル信号処理して、元の信号を再生する。
【００３０】
ここで説明したディジタルコヒレント光受信回路５００は、以後の実施形態の光電気変換回路に適用することができる。
【００３１】
図４に示す光受信装置の動作を表すタイムチャートの例を図５に示す。図５において、後段フレーム同期回路の同期ワードビットエラー許容数＝０、フレーム同期検出保護段数＝２の例である。これらの数値は１例であって、これらの数値に限定されるものではない。
前段同期ワード検出回路３１は、フレーム番号＃３でビットエラー＝０の同期ワードを検出したため、前段フレーム同期検出信号を出力し、同期ワードの検出を中止する。これにより、ＦＥＣデコーダ２２がエラー訂正を開始し、後段同期ワード検出回路３７が同期ワードの探索を開始する。後段フレーム同期検出回路３６は、エラー訂正後のフレーム番号＃４から同期ワードのうち許容値以下のビットエラーの同期ワードの連続を検出し、それぞれで後段フレーム同期検出信号を出力する。ここでは、ビットエラーのない同期ワードを２回連続してカウントするため、エラー訂正後のフレーム番号＃５でフレーム同期確立と判定する。エラー訂正後のフレーム番号＃３から、＃３フレームを含めて３フレーム以内にフレーム同期検出保護段数＝２に達している。これにより、受信器フレーム同期表示出力回路３５は、受信器フレーム同期表示信号をＨｉｇｈ状態とする。
【００３２】
前段同期ワード検出回路３１が前段フレーム同期検出信号を出力した後、後段フレーム同期検出回路３６が所定フレーム以内にフレーム同期確立と判定しないときは、後段フレーム同期検出回路３６は前段同期ワード検出回路３１に再び同期ワードの検出を開始させる。これにより、前段同期ワード検出回路３１は同期ワードの探索を開始する。
【００３３】
（実施形態２）
本実施形態の光送受信手順の例を図６に示す。図６において、光送受信方法は、光送信方法及び光受信方法を有する。光送信方法は、入力されるデータ信号に同期ワードを付加してフレーム付加電気信号を生成するフレーム生成手順Ｐ１１と、フレーム生成手順Ｐ１１の後、フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順Ｐ１２と、ＦＥＣエンコード手順Ｐ１２の後、エラー訂正付加電気信号を光信号に変換して送信する電気光変換手順Ｐ１３と、電気光変換手順Ｐ１３の後、光信号を受信し、受信した光信号を光電気変換してエラー訂正付加電気信号を再生する光電気変換手順Ｐ１４と、を備える。
【００３４】
光受信方法は、光電気変換手順Ｐ１４の後、エラー訂正付加電気信号から同期ワードを検出し、フレーム同期のとれたエラー訂正付加電気信号を出力する前段同期ワード検出手順Ｐ１５と、前段同期ワード検出手順Ｐ１５の後、フレーム同期のとれたエラー訂正付加電気信号を同期ワードを含めてエラー訂正し、フレーム付加電気信号を再生するＦＥＣデコード手順Ｐ１７と、ＦＥＣデコード手順Ｐ１７の後、エラー訂正のされたフレーム付加電気信号から同期ワードを検出し、フレーム同期のとれたフレーム付加電気信号を出力する後段同期ワード検出手順Ｐ１８と、前段同期ワード検出手順Ｐ１５で同期ワードを検出してから所定フレーム以内に、ＦＥＣデコード手順Ｐ１７で再生したフレーム付加電気信号に含まれる同期ワードのうち許容値以下のビットエラーの同期ワードの連続をカウントして規定数に達したときにフレーム同期確立と判定し、前段同期ワード検出手順Ｐ１５で同期ワードを検出してから所定フレーム以内に、ＦＥＣデコード手順Ｐ１７で再生したフレーム付加電気信号に含まれる同期ワードのうち許容値以下のビットエラーの同期ワードの連続をカウントして規定数に達しないときに、前段同期ワード検出手順Ｐ１５に戻る後段フレーム同期検出手順Ｐ１９と、後段フレーム同期検出手順Ｐ１９の後、フレーム同期確立したフレーム付加電気信号から同期ワードを除去してデータ信号を再生するフレーム終端手順Ｐ２０と、を備える。
【００３５】
図６では、ＦＥＣデコード手順Ｐ１７の後に後段同期ワード検出手順Ｐ１８を設けている。後段フレーム同期検出手順Ｐ１９では、後段同期ワード検出手順Ｐ１８で検出した同期ワードから、許容値以下のビットエラーの同期ワードの連続をカウントしている。しかし、前段同期ワード検出手順Ｐ１５によって、すでに同期ワードの位置が分かっている。そのため、後段フレーム同期検出手順Ｐ１９では、ＦＥＣデコード手順Ｐ１７でのフレーム付加電気信号の中から、分かった位置の同期ワードと予め決めておいた同期ワードとを比較して、その同期ワードから、許容値以下のビットエラーの同期ワードの連続をカウントしてもよい。この場合は、後段同期ワード検出手順Ｐ１８は不用となる。
【００３６】
本実施形態の後段フレーム同期検出手順Ｐ１９では、ＦＥＣデコード手順Ｐ１７でのエラー訂正のされたフレーム付加電気信号から許容値以下のビットエラーの同期ワードの連続をカウントするため、伝送路でビットエラーが生じても、容易にフレーム同期確立状態に移行することができる。その結果、フレーム終端手順Ｐ２０では、データ信号を迅速に出力したり、前段同期ワード検出手順Ｐ１５では同期ワードの再探索を開始したりすることが少なくなる。つまり、フレーム同期確立状態に移行し易い。
【００３７】
（実施形態３）
本実施形態の光送受信システムの構成例を図７に示す。実施形態１との差は、光送信装置１０において、ＦＥＣエンコーダ１２と電気光変換回路１５との間にスクランブラ１３が配置され、光受信装置２０において、前段同期ワード検出回路３１とＦＥＣデコーダ２２との間にデスクランブラ２３が配置されていることである。
【００３８】
スクランブラ１３は、ＦＥＣエンコーダ１２からのエラー訂正付加電気信号を擬似ランダム信号でスクランブルする。スクランブルによって、“０”や“１”の同符号連続を防止したり、“０”と“１”の出現確率を等しくすることができる。デスクランブラ２３は、スクランブルされた信号を元に戻す。本実施形態の光送受信システムは、スクランブラ１３やデスクランブラ２３が配置されても、実施形態１と同様の効果を発揮することができる。
【００３９】
（実施形態４）
本実施形態の光送受信システムの構成例を図８に示す。実施形態１との差は、光受信装置２０が、前段同期ワード検出回路３１の検出する同期ワードのうち許容値以下のビットエラーの同期ワードの連続をカウントして規定数に達したときに仮フレーム同期確立と判定し、仮フレーム同期確立表示信号をＨｉｇｈ状態としたり、同期ワードの検出を中止する前段フレーム同期検出回路３２をさらに備え、ＦＥＣデコーダ２２は、仮フレーム同期確立によりエラー訂正を開始する点である。
【００４０】
前段同期ワード検出回路３１の検出する同期ワードに対して、ビットエラーが許容値以下であれば、同期ワードとするため、ビットエラーの多い伝送路にも適用することができる。また、同期ワードの連続をカウントして規定数に達したときに仮フレーム同期確立と判定することもできるため、仮フレーム同期確立の精度を高めることができる。仮フレーム同期確立の後は、後段フレーム同期検出回路３６がフレーム同期確立を判定する。
【００４１】
受信器フレーム同期表示出力回路３５は、仮フレーム同期確立状態で動作させる回路とフレーム同期確立状態で動作させる回路をそれぞれ制御してもよい。
【００４２】
光受信装置２０では、前段フレーム同期検出回路３２のビットエラー数の許容値が、後段フレーム同期検出回路３６のビットエラー数の許容値よりも大きいことが好ましい。前段フレーム同期検出回路３２は、エラー訂正のされていない電気信号から同期ワードを検出するため、ビットエラー数の許容値を後段フレーム同期検出回路３６よりも大きくすることによって、迅速に仮フレーム同期確立状態に移行することができる。
【００４３】
光受信装置２０では、後段フレーム同期検出回路３６のカウントする許容値以下のビットエラーを有する同期ワードの連続する規定数が、前段フレーム同期検出回路３２のカウントする許容値以下のビットエラーを有する同期ワードの連続する規定数よりも大きいことが好ましい。前段同期ワード検出回路３１は、エラー訂正のされていない電気信号から同期ワードを検出するため、後段フレーム同期検出回路３６のカウントする許容値以下のビットエラーを有する同期ワードの連続する規定数を、前段フレーム同期検出回路３２のカウントする許容値以下のビットエラーを有する同期ワードの連続する規定数よりも大きくすることによって誤同期を防止することができる。
【００４４】
図８に示す光受信装置の動作を表すタイムチャートの例を図９に示す。図９において、
前段同期ワードビットエラー許容数＝２、前段フレーム同期検出保護段数＝１、後段同期ワードビットエラー許容数＝０、後段フレーム同期検出保護段数＝２の例である。これらの数値は１例であって、これらの数値に限定されるものではない。フレーム番号＃３で、ビットエラー＝２の同期ワードを検出したため、フレーム同期保護カウンタは１をカウントして、直ちに仮フレーム同期確立状態とする。また、ＦＥＣデコーダ２２や後段同期ワード検出回路３７の信号処理遅延時間を考慮して、前段フレーム同期検出回路３２は、フレーム番号＃６から動作イネーブルとする。
【００４５】
動作イネーブルとなったため、後段フレーム同期検出回路３６は、同期ワードの保護を開始する。後段フレーム同期検出回路３６は、エラー訂正後のフレーム番号＃４、＃５でビットエラーのない同期ワードを２回続けて検出したため、それぞれで後段フレーム同期検出信号を出力する。フレーム同期保護カウンタ（不図示）は２をカウントして、フレーム同期確立状態とする。これに伴い、受信器フレーム同期表示出力回路３５は、受信器フレーム同期表示信号をフレーム同期確立状態であるＨｉｇｈ状態とする。
【００４６】
（実施形態５）
本実施形態の光送受信システムは、図８に示す光送受信システムと構成は同じである。光受信装置の動作を表すタイムチャートの例を図１０に示す。図１０において、前段フレーム同期検出回路３２がフレーム番号＃６から動作イネーブルとするまでは、実施形態４と同様に動作する。但し、エラー訂正後フレーム番号＃４、＃５では、後段同期ワード検出回路３７が同期ワードとされる位置で同期ワードを検出してもビットエラー数の許容値が超えているため、後段フレーム同期検出回路３６は、所定フレーム内では、フレーム同期確立状態に移行しない。フレーム番号＃６、＃７で動作イネーブルとなって、誤った位置でフレーム同期としてしまうと、例えば、エラー訂正後フレーム番号＃４、＃５では後段同期ワード検出回路３７がその位置で測定する同期ワードのビットエラーは、大きな値となってしまうことがある。これは、誤同期である。所定フレーム内で、フレーム同期確立状態に移行しないため、後段フレーム同期検出回路３６は、前段同期ワード検出回路３１に同期ワードの検出を開始させる。
【００４７】
前段同期ワード検出回路３１は、同期ワードの探索を開始し、フレーム番号＃９で同期ワードを検出する。前段フレーム同期検出回路３２は、許容値である２以下のビットエラーであることを検出して、直ちに仮フレーム同期確立状態とする。前段フレーム同期検出回路３２は、フレーム番号＃１２から動作イネーブルとする。
【００４８】
動作イネーブルとなったため、後段フレーム同期検出回路３６は、同期ワードの保護を開始する。後段フレーム同期検出回路３６は、エラー訂正後のフレーム番号＃１０、＃１１でビットエラーのない同期ワードを２回続けて検出したため、それぞれで後段フレーム同期検出信号を出力する。フレーム同期保護カウンタ（不図示）は２をカウントして、フレーム同期確立状態とする。これに伴い、受信器フレーム同期表示出力回路３５は、受信器フレーム同期表示信号をフレーム同期確立状態であるＨｉｇｈ状態とする。
【００４９】
前段同期ワード検出回路３１が同期ワードを検出してから所定フレーム以内に、後段フレーム同期検出回路３６がＦＥＣデコータ２２からのフレーム付加電気信号に含まれる同期ワードのうち許容値以下のビットエラーの同期ワードの連続をカウントして規定数に達しないとき、即ち、所定フレーム内では、フレーム同期確立状態に移行しないときは、後段フレーム同期検出回路３６は前段同期ワード検出回路３１に再び同期ワードの検出を開始させる。これにより、光受信装置２０は、誤同期を防止して、フレーム同期確立状態に移行しやすくなる。
【００５０】
（実施形態６）
本実施形態の光送受信手順の例を図１１に示す。図１１において、光送受信方法は、光送信方法及び光受信方法を有する。光送信方法は、入力されるデータ信号に同期ワードを付加してフレーム付加電気信号を生成するフレーム生成手順Ｐ１１と、フレーム生成手順Ｐ１１の後、フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順Ｐ１２と、ＦＥＣエンコード手順Ｐ１２の後、エラー訂正付加電気信号を光信号に変換して送信する電気光変換手順Ｐ１３と、を備える。
【００５１】
光受信方法は、光電気変換手順Ｐ１４の後、エラー訂正付加電気信号から同期ワードを検出し、フレーム同期のとれたエラー訂正付加電気信号を出力する前段同期ワード検出手順Ｐ１５と、前段同期ワード検出手順Ｐ１５の後、前段同期ワード検出手順Ｐ１５で検出する同期ワードのうち許容値以下のビットエラーの同期ワードの連続をカウントして規定数に達したときに仮フレーム同期確立と判定する前段フレーム同期検出手順Ｐ１６と、前段フレーム同期検出手順Ｐ１６の後、仮フレーム同期確立により、フレーム同期のとれたエラー訂正付加電気信号を同期ワードを含めてエラー訂正を開始し、フレーム付加電気信号を再生するＦＥＣデコード手順Ｐ１７と、ＦＥＣデコード手順Ｐ１７の後、エラー訂正のされたフレーム付加電気信号から同期ワードを検出し、フレーム同期のとれたフレーム付加電気信号を出力する後段同期ワード検出手順Ｐ１８と、前段同期ワード検出手順Ｐ１５で同期ワードを検出してから所定フレーム以内に、ＦＥＣデコード手順Ｐ１７で再生したフレーム付加電気信号に含まれる同期ワードのうち許容値以下のビットエラーの同期ワードの連続をカウントして規定数に達したときにフレーム同期確立と判定し、前段同期ワード検出手順Ｐ１５で同期ワードを検出してから所定フレーム以内に、ＦＥＣデコード手順Ｐ１７で再生したフレーム付加電気信号に含まれる同期ワードのうち許容値以下のビットエラーの同期ワードの連続をカウントして規定数に達しないときに、前段同期ワード検出手順Ｐ１５に戻る後段フレーム同期検出手順Ｐ１９と、後段フレーム同期検出手順Ｐ１９の後、フレーム同期確立したフレーム付加電気信号から同期ワードを除去してデータ信号を再生するフレーム終端手順Ｐ２０と、を備える。
【００５２】
実施形態２との差は、図１１に示すように、前段同期ワード検出手順Ｐ１５の後に、前段フレーム同期検出手順Ｐ１６を設けている点である。前段フレーム同期検出手順Ｐ１６では、前段同期ワード検出手順Ｐ１５で検出した同期ワードうち、許容値以下のビットエラーの同期ワードの連続をカウントして規定数に達したときに仮フレーム同期確立と判定し、仮フレーム同期確立表示信号をＨｉｇｈ状態とし、同期ワードの検出を中止する。また、ＦＥＣデコード手順Ｐ１７では、仮フレーム同期確立によりエラー訂正を開始する。
【００５３】
前段同期ワード検出手順Ｐ１５で検出する同期ワードに対して、ビットエラーが許容値以下であれば、同期ワードとするため、ビットエラーの多い伝送路にも適用することができる。また、前段フレーム同期検出手順Ｐ１６で、同期ワードの連続をカウントして規定数に達したときに仮フレーム同期確立と判定するため、仮フレーム同期確立の精度を高めることができる。仮フレーム同期確立の後は、後段フレーム同期検出手順Ｐ１９でフレーム同期確立を判定する。
【００５４】
図１１では、また、ＦＥＣデコード手順Ｐ１７の後に後段同期ワード検出手順Ｐ１８を設けている。後段フレーム同期検出手順Ｐ１９では、後段同期ワード検出手順Ｐ１８で検出した同期ワードから、許容値以下のビットエラーの同期ワードの連続をカウントしている。しかし、前段同期ワード検出手順Ｐ１５によって、すでに同期ワードの位置が分かっている。そのため、後段フレーム同期検出手順Ｐ１９では、ＦＥＣデコード手順Ｐ１７でのフレーム付加電気信号の中から、分かった位置の同期ワードと予め決めておいた同期ワードとを比較して、その同期ワードから、許容値以下のビットエラーの同期ワードの連続をカウントしてもよい。この場合は、後段同期ワード検出手順Ｐ１８は不用となる。
【００５５】
本実施形態の後段フレーム同期検出手順Ｐ１９では、ＦＥＣデコード手順Ｐ１７でのエラー訂正のされたフレーム付加電気信号から許容値以下のビットエラーの同期ワードの連続をカウントするため、伝送路でビットエラーが生じても、容易にフレーム同期確立状態に移行することができる。その結果、フレーム終端手順Ｐ２０では、データ信号を迅速に出力したり、前段同期ワード検出手順Ｐ１５では同期ワードの再探索を開始したりすることが少なくなる。つまり、フレーム同期確立状態に移行し易い。
【００５６】
光受信方法では、前段フレーム同期検出手順Ｐ１６でのビットエラー数の許容値が、後段フレーム同期検出手順Ｐ１９でのビットエラー数の許容値よりも大きいことが好ましい。前段同期ワード検出手順Ｐ１５では、エラー訂正のされていない電気信号から同期ワードを検出するため、ビットエラー数の許容値を後段フレーム同期検出手順Ｐ１９でのビットエラー数の許容値よりも大きくすることによって、迅速に仮フレーム同期確立状態に移行することができる。
【００５７】
例えば、前段フレーム同期検出手順Ｐ１６でのビットエラー数の許容値＝２、後段フレーム同期検出手順Ｐ１９でのビットエラー数の許容値＝０とする。これらの数値は１例であって、これらの数値に限定されるものではない。
【００５８】
光受信方法では、後段フレーム同期検出手順Ｐ１９でのカウントする許容値以下のビットエラーを有する同期ワードの連続する規定数が、前段フレーム同期検出手順Ｐ１６でのカウントする許容値以下のビットエラーを有する同期ワードの連続する規定数よりも大きいことが好ましい。前段同期ワード検出手順Ｐ１５では、エラー訂正のされていない電気信号から同期ワードを検出するため、後段フレーム同期検出手順Ｐ１９でのカウントする許容値以下のビットエラーを有する同期ワードの連続する規定数を、前段フレーム同期検出手順Ｐ１６でのカウントする許容値以下のビットエラーを有する同期ワードの連続する規定数よりも大きくすることによって誤同期を防止することができる。
【００５９】
例えば、後段フレーム同期検出手順Ｐ１９でのカウントする許容値以下のビットエラーを有する同期ワードの連続する規定数（フレーム同期検出保護段数）＝２、前段フレーム同期検出手順Ｐ１６でのカウントする許容値以下のビットエラーを有する同期ワードの連続する規定数（フレーム同期検出保護段数）＝１とする。これらの数値は１例であって、これらの数値に限定されるものではない。
【００６０】
（実施形態７）
本実施形態の光送受信システムの構成例を図１２に示す。実施形態４との差は、光送信装置１０において、ＦＥＣエンコーダ１２と電気光変換回路１５との間にスクランブラ１３が配置され、光受信装置２０において、前段同期ワード検出回路３１とＦＥＣデコーダ２２との間にデスクランブラ２３が配置されていることである。
【００６１】
スクランブラ１３は、ＦＥＣエンコーダ１２からのエラー訂正付加電気信号を擬似ランダム信号でスクランブルする。スクランブルによって、“０”や“１”の同符号連続を防止したり、“０”と“１”の出現確率を等しくすることができる。デスクランブラ２３は、スクランブルされた信号を元に戻す。スクランブラ１３やデスクランブラ２３が配置されても、実施形態４と同様の効果を発揮することができる。
【００６２】
（実施形態８）
コンピュータに実行させるための光受信プログラムの本実施形態の例を図１３に示す。図１３において、コンピュータに実行させるための光受信プログラムは、光信号を受信し、受信した光信号を光電気変換してエラー訂正付加電気信号を再生する光電気変換ステップＳ１４と、光電気変換ステップＳ１４の後、エラー訂正付加電気信号から同期ワードを検出し、フレーム同期のとれたエラー訂正付加電気信号を出力する前段同期ワード検出ステップＳ１５と、前段同期ワード検出ステップＳ１５の後、フレーム同期のとれたエラー訂正付加電気信号を同期ワードを含めてエラー訂正し、フレーム付加電気信号を再生するＦＥＣデコードステップＳ１７と、前段同期ワード検出ステップＳ１５で同期ワードを検出してから所定フレーム以内に、ＦＥＣデコードステップＳ１７で再生したフレーム付加電気信号に含まれる同期ワードのうち許容値以下のビットエラーの同期ワードの連続をカウントして規定数に達したときにフレーム同期確立と判定し、前段同期ワード検出ステップＳ１５で同期ワードを検出してから所定フレーム以内に、ＦＥＣデコードステップＳ１７で再生したフレーム付加電気信号に含まれる同期ワードのうち許容値以下のビットエラーの同期ワードの連続をカウントして規定数に達しないときに、前段同期ワード検出ステップＳ１５に戻る後段フレーム同期検出ステップＳ１９と、後段フレーム同期検出ステップの後、フレーム同期確立したフレーム付加電気信号から同期ワードを除去してデータ信号を再生するフレーム終端ステップと、をコンピュータに実行させる。
【００６３】
図１３では、ＦＥＣデコードステップＳ１７の後に後段同期ワード検出ステップＳ１８を設けている。後段フレーム同期検出ステップＳ１９では、後段同期ワード検出ステップＳ１８で検出した同期ワードから、許容値以下のビットエラーの同期ワードの連続をカウントしている。しかし、前段同期ワード検出ステップＳ１５によって、すでに同期ワードの位置が分かっている。そのため、後段フレーム同期検出ステップＳ１９では、ＦＥＣデコードステップＳ１７でのフレーム付加電気信号の中から、分かった位置の同期ワードと予め決めておいた同期ワードとを比較して、その同期ワードから、許容値以下のビットエラーの同期ワードの連続をカウントしてもよい。この場合は、後段同期ワード検出ステップＳ１８は不用となる。
【００６４】
本実施形態の後段フレーム同期検出ステップＳ１９では、ＦＥＣデコードステップＳ１７でのエラー訂正のされたフレーム付加電気信号から許容値以下のビットエラーの同期ワードの連続をカウントするため、伝送路でビットエラーが生じても、容易にフレーム同期確立状態に移行することができる。その結果、フレーム終端ステップＳ２０では、データ信号を迅速に出力したり、前段同期ワード検出ステップＳ１５では同期ワードの再探索を開始したりすることが少なくなる。つまり、フレーム同期確立状態に移行し易い。
【００６５】
（実施形態９）
コンピュータに実行させるための光受信プログラムの本実施形態の例を図１４に示す。図１４において、コンピュータに実行させるための光受信プログラムは、光電気変換ステップＰ１４の後、エラー訂正付加電気信号から同期ワードを検出し、フレーム同期のとれたエラー訂正付加電気信号を出力する前段同期ワード検出ステップＳ１５と、前段同期ワード検出ステップＳ１５の後、前段同期ワード検出ステップＳ１５で検出する同期ワードのうち許容値以下のビットエラーの同期ワードの連続をカウントして規定数に達したときに仮フレーム同期確立と判定する前段フレーム同期検出ステップＳ１６と、前段フレーム同期検出ステップＳ１６の後、仮フレーム同期確立により、フレーム同期のとれたエラー訂正付加電気信号を同期ワードを含めてエラー訂正を開始し、フレーム付加電気信号を再生するＦＥＣデコードステップＳ１７と、ＦＥＣデコードステップＳ１７の後、エラー訂正のされたフレーム付加電気信号から同期ワードを検出し、フレーム同期のとれたフレーム付加電気信号を出力する後段同期ワード検出ステップＳ１８と、前段同期ワード検出ステップＳ１５で同期ワードを検出してから所定フレーム以内に、ＦＥＣデコードステップＳ１７で再生したフレーム付加電気信号に含まれる同期ワードのうち許容値以下のビットエラーの同期ワードの連続をカウントして規定数に達したときにフレーム同期確立と判定し、前段同期ワード検出ステップＳ１５で同期ワードを検出してから所定フレーム以内に、ＦＥＣデコードステップＳ１７で再生したフレーム付加電気信号に含まれる同期ワードのうち許容値以下のビットエラーの同期ワードの連続をカウントして規定数に達しないときに、前段同期ワード検出ステップＳ１５に戻る後段フレーム同期検出ステップＳ１９と、後段フレーム同期検出ステップＳ１９の後、フレーム同期確立したフレーム付加電気信号から同期ワードを除去してデータ信号を再生するフレーム終端ステップＳ２０と、を備える。
【００６６】
実施形態８との差は、図１４に示すように、前段同期ワード検出ステップＳ１５の後に、前段フレーム同期検出ステップＳ１６を設けている点である。前段フレーム同期検出ステップＳ１６では、前段同期ワード検出ステップＳ１５で検出した同期ワードうち、許容値以下のビットエラーの同期ワードの連続をカウントして規定数に達したときに仮フレーム同期確立と判定し、仮フレーム同期確立表示信号をＨｉｇｈ状態とし、同期ワードの検出を中止する。また、ＦＥＣデコードステップＳ１７では、仮フレーム同期確立によりエラー訂正を開始する。
【００６７】
前段同期ワード検出ステップＳ１５で検出する同期ワードに対して、ビットエラーが許容値以下であれば、同期ワードとするため、ビットエラーの多い伝送路にも適用することができる。また、前段フレーム同期検出ステップＳ１６で、同期ワードの連続をカウントして規定数に達したときに仮フレーム同期確立と判定するため、仮フレーム同期確立の精度を高めることができる。仮フレーム同期確立の後は、後段フレーム同期検出ステップＳ１９でフレーム同期確立を判定する。
【００６８】
図１４では、また、ＦＥＣデコードステップＳ１７の後に後段同期ワード検出ステップＳ１８を設けている。後段フレーム同期検出ステップＳ１９では、後段同期ワード検出ステップＳ１８で検出した同期ワードから、許容値以下のビットエラーの同期ワードの連続をカウントしている。しかし、前段同期ワード検出ステップＳ１５によって、すでに同期ワードの位置が分かっている。そのため、後段フレーム同期検出ステップＳ１９では、ＦＥＣデコードステップＳ１７でのフレーム付加電気信号の中から、分かった位置の同期ワードと予め決めておいた同期ワードとを比較して、その同期ワードから、許容値以下のビットエラーの同期ワードの連続をカウントしてもよい。この場合は、後段同期ワード検出ステップＳ１８は不用となる。
【００６９】
本実施形態の後段フレーム同期検出ステップＳ１９では、ＦＥＣデコードステップＳ１７でのエラー訂正のされたフレーム付加電気信号から許容値以下のビットエラーの同期ワードの連続をカウントするため、伝送路でビットエラーが生じても、容易にフレーム同期確立状態に移行することができる。その結果、フレーム終端ステップＳ２０では、データ信号を迅速に出力したり、前段同期ワード検出ステップＳ１５では同期ワードの再探索を開始したりすることが少なくなる。つまり、フレーム同期確立状態に移行し易い。
【００７０】
光受信プログラムでは、前段フレーム同期検出ステップＳ１６でのビットエラー数の許容値が、後段フレーム同期検出ステップＳ１９でのビットエラー数の許容値よりも大きいことが好ましい。前段同期ワード検出ステップＳ１５では、エラー訂正のされていない電気信号から同期ワードを検出するため、ビットエラー数の許容値を後段フレーム同期検出ステップＳ１９でのビットエラー数の許容値よりも大きくすることによって、迅速に仮フレーム同期確立状態に移行することができる。
【００７１】
例えば、前段フレーム同期検出ステップＳ１６でのビットエラー数の許容値＝２、後段フレーム同期検出ステップＳ１９でのビットエラー数の許容値＝０とする。これらの数値は１例であって、これらの数値に限定されるものではない。
【００７２】
光受信プログラムでは、後段フレーム同期検出ステップＳ１９でのカウントする許容値以下のビットエラーを有する同期ワードの連続する規定数が、前段フレーム同期検出ステップＳ１６でのカウントする許容値以下のビットエラーを有する同期ワードの連続する規定数よりも大きいことが好ましい。前段同期ワード検出ステップＳ１５では、エラー訂正のされていない電気信号から同期ワードを検出するため、後段フレーム同期検出ステップＳ１９でのカウントする許容値以下のビットエラーを有する同期ワードの連続する規定数を、前段フレーム同期検出ステップＳ１６でのカウントする許容値以下のビットエラーを有する同期ワードの連続する規定数よりも大きくすることによって誤同期を防止することができる。
【００７３】
例えば、後段フレーム同期検出ステップＳ１９でのカウントする許容値以下のビットエラーを有する同期ワードの連続する規定数（フレーム同期検出保護段数）＝２、前段フレーム同期検出ステップＳ１６でのカウントする許容値以下のビットエラーを有する同期ワードの連続する規定数（フレーム同期検出保護段数）＝１とする。これらの数値は１例であって、これらの数値に限定されるものではない。
【００７４】
（付記１）
入力されるデータ信号に同期ワードを付加してフレーム付加電気信号を生成するフレーム生成回路と、
前記フレーム生成回路からの前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコーダと、
前記ＦＥＣエンコーダからの前記エラー訂正付加電気信号を光信号に変換して送信する電気光変換回路と、
を備える光送信装置及び
前記電気光変換回路からの前記光信号を受信し、受信した光信号を光電気変換して前記エラー訂正付加電気信号を再生する光電気変換回路と、
前記光電気変換回路からの前記エラー訂正付加電気信号から前記同期ワードを検出し、フレーム同期のとれたエラー訂正付加電気信号を出力する前段同期ワード検出回路と、
前記前段同期ワード検出回路からの前記フレーム同期のとれたエラー訂正付加電気信号を前記同期ワードを含めてエラー訂正し、前記フレーム付加電気信号を再生するＦＥＣデコーダと、
前記前段同期ワード検出回路が前記同期ワードを検出してから所定フレーム以内に、前記ＦＥＣデコーダからの前記フレーム付加電気信号に含まれる前記同期ワードのうち許容値以下のビットエラーの同期ワードの連続をカウントして規定数に達したときにフレーム同期確立と判定し、前記前段同期ワード検出回路が前記同期ワードを検出してから所定フレーム以内に、前記ＦＥＣデコータからの前記フレーム付加電気信号に含まれる前記同期ワードのうち許容値以下のビットエラーの同期ワードの連続をカウントして規定数に達しないときに、前記前段同期ワード検出回路に再び同期ワードの検出を開始させる後段フレーム同期検出回路と、
前記ＦＥＣデコーダからの前記フレーム付加電気信号から前記同期ワードを除去して前記データ信号を再生するフレーム終端回路と、
を備える光受信装置を有する光送受信システム。
【００７５】
（付記２）
前記光受信装置は、
前記前段同期ワード検出回路の検出する前記同期ワードのうち許容値以下のビットエラーの同期ワードの連続をカウントして規定数に達したときに仮フレーム同期確立と判定する前段フレーム同期検出回路をさらに備え、
前記ＦＥＣデコーダは、前記仮フレーム同期確立によりエラー訂正を開始することを特徴とする付記１に記載の光送受信システム。
【００７６】
（付記３）
前記前段フレーム同期検出回路のビットエラー数の許容値が、前記後段フレーム同期検出回路のビットエラー数の許容値よりも大きいことを特徴とする付記２に記載の光送受信システム。
【００７７】
（付記４）
前記後段フレーム同期検出回路のカウントする許容値以下のビットエラーを有する同期ワードの連続する規定数が、前記前段フレーム同期検出回路のカウントする許容値以下のビットエラーを有する同期ワードの連続する規定数よりも大きいことを特徴とする付記２又は３に記載の光送受信システム。
【００７８】
（付記５）
入力されるデータ信号に同期ワードを付加してフレーム付加電気信号を生成するフレーム生成手順と、
前記フレーム生成手順の後、前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順と、
前記ＦＥＣエンコード手順の後、前記エラー訂正付加電気信号を光信号に変換して送信する電気光変換手順と、
前記電気光変換手順の後、前記光信号を受信し、受信した光信号を光電気変換して前記エラー訂正付加電気信号を再生する光電気変換手順と、
前記光電気変換手順の後、前記エラー訂正付加電気信号から前記同期ワードを検出し、フレーム同期のとれたエラー訂正付加電気信号を出力する前段同期ワード検出手順と、
前記前段同期ワード検出手順の後、前記フレーム同期のとれたエラー訂正付加電気信号を前記同期ワードを含めてエラー訂正し、前記フレーム付加電気信号を再生するＦＥＣデコード手順と、
前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達したときにフレーム同期確立と判定し、前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達しないときに、前記前段同期ワード検出手順に戻る後段フレーム同期検出手順と、
前記後段フレーム同期検出手順の後、フレーム同期確立した前記フレーム付加電気信号から前記同期ワードを除去して前記データ信号を再生するフレーム終端手順と、
を備える光送受信手順。
【００７９】
（付記６）
前記前段同期ワード検出手順と前記ＦＥＣデコード手順との間に、前記前段同期ワード検出手順で検出する前記同期ワードのうち許容値以下のビットエラーの同期ワードの連続をカウントして規定数に達したときに仮フレーム同期確立と判定する前段フレーム同期検出手順を、さらに備え、
前記ＦＥＣデコード手順は、前記仮フレーム同期確立によりエラー訂正を開始することを特徴とする付記５に記載の光送受信手順。
【００８０】
（付記７）
前記前段フレーム同期検出手順でのビットエラー数の許容値が、前記後段フレーム同期検出手順でのビットエラー数の許容値よりも大きいことを特徴とする付記６に記載の光送受信手順。
【００８１】
（付記８）
前記後段フレーム同期検出手順でのカウントする許容値以下のビットエラーを有する同期ワードの連続する規定数が、前記前段フレーム同期検出手順でのカウントする許容値以下のビットエラーを有する同期ワードの連続する規定数よりも大きいことを特徴とする付記６又は７に記載の光送受信手順。
【００８２】
（付記９）
電気光変換回路からの光信号を受信し、受信した光信号を光電気変換してエラー訂正付加電気信号を再生する光電気変換回路と、
前記光電気変換回路からの前記エラー訂正付加電気信号から同期ワードを検出し、フレーム同期のとれたエラー訂正付加電気信号を出力する前段同期ワード検出回路と、
前記前段同期ワード検出回路からの前記フレーム同期のとれたエラー訂正付加電気信号を前記同期ワードを含めてエラー訂正し、フレーム付加電気信号を再生するＦＥＣデコーダと、
前記前段同期ワード検出回路が前記同期ワードを検出してから所定フレーム以内に、前記ＦＥＣデコーダからの前記フレーム付加電気信号に含まれる前記同期ワードのうち許容値以下のビットエラーの同期ワードの連続をカウントして規定数に達したときにフレーム同期確立と判定し、前記前段同期ワード検出回路が前記同期ワードを検出してから所定フレーム以内に、前記ＦＥＣデコータからの前記フレーム付加電気信号に含まれる前記同期ワードのうち許容値以下のビットエラーの同期ワードの連続をカウントして規定数に達しないときに、前記前段同期ワード検出回路に再び同期ワードの検出を開始させる後段フレーム同期検出回路と、
前記ＦＥＣデコーダからの前記フレーム付加電気信号から前記同期ワードを除去してデータ信号を再生するフレーム終端回路とを備える光受信装置。
【００８３】
（付記１０）
前記前段同期ワード検出回路の検出する前記同期ワードのうち許容値以下のビットエラーの同期ワードの連続をカウントして規定数に達したときに仮フレーム同期確立と判定する前段フレーム同期検出回路をさらに備え、
前記ＦＥＣデコーダは、前記仮フレーム同期確立によりエラー訂正を開始することを特徴とする付記９に記載の光受信装置。
【００８４】
（付記１１）
前記前段フレーム同期検出回路のビットエラー数の許容値が、前記後段フレーム同期検出回路のビットエラー数の許容値よりも大きいことを特徴とする付記１０に記載の光受信装置。
【００８５】
（付記１２）
前記後段フレーム同期検出回路のカウントする許容値以下のビットエラーを有する同期ワードの連続する規定数が、前記前段フレーム同期検出回路のカウントする許容値以下のビットエラーを有する同期ワードの連続する規定数よりも大きいことを特徴とする付記１０又は１１に記載の光受信装置。
（付記１３）
光信号を受信し、受信した光信号を光電気変換してエラー訂正付加電気信号を再生する光電気変換手順と、
前記光電気変換手順の後、前記エラー訂正付加電気信号から同期ワードを検出し、フレーム同期のとれたエラー訂正付加電気信号を出力する前段同期ワード検出手順と、
前記前段同期ワード検出手順の後、前記フレーム同期のとれたエラー訂正付加電気信号を前記同期ワードを含めてエラー訂正し、フレーム付加電気信号を再生するＦＥＣデコード手順と、
前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達したときにフレーム同期確立と判定し、前記前段同期ワード検出手順で前記同期ワードを検出してから所定フレーム以内に、前記ＦＥＣデコード手順で再生した前記フレーム付加電気信号に含まれる前記同期ワードのうち許容値以下のビットエラーの同期ワードの連続をカウントして規定数に達しないときに、前記前段同期ワード検出手順に戻る後段フレーム同期検出手順と、
前記後段フレーム同期検出手順の後、フレーム同期確立した前記フレーム付加電気信号から前記同期ワードを除去してデータ信号を再生するフレーム終端手順と、
を備える光受信手順。
【００８６】
（付記１４）
前記前段同期ワード検出手順と前記ＦＥＣデコード手順との間に、前記前段同期ワード検出手順で検出する前記同期ワードのうち許容値以下のビットエラーの同期ワードの連続をカウントして規定数に達したときに仮フレーム同期確立と判定する前段フレーム同期検出手順を、さらに備え、
前記ＦＥＣデコード手順は、前記仮フレーム同期確立によりエラー訂正を開始することを特徴とする付記１３に記載の光受信手順。
【００８７】
（付記１５）
前記前段フレーム同期検出手順でのビットエラー数の許容値が、前記後段フレーム同期検出手順でのビットエラー数の許容値よりも大きいことを特徴とする付記１４に記載の光受信手順。
【００８８】
（付記１６）
前記後段フレーム同期検出手順でのカウントする許容値以下のビットエラーを有する同期ワードの連続する規定数が、前記前段フレーム同期検出手順でのカウントする許容値以下のビットエラーを有する同期ワードの連続する規定数よりも大きいことを特徴とする付記１４又は１５に記載の光受信手順。
【００８９】
（付記１７）
光信号を受信し、受信した光信号を光電気変換してエラー訂正付加電気信号を再生する光電気変換ステップと、
前記光電気変換ステップの後、前記エラー訂正付加電気信号から同期ワードを検出し、フレーム同期のとれたエラー訂正付加電気信号を出力する前段同期ワード検出ステップと、
前記前段同期ワード検出ステップの後、前記フレーム同期のとれたエラー訂正付加電気信号を前記同期ワードを含めてエラー訂正し、フレーム付加電気信号を再生するＦＥＣデコードステップと、
前記前段同期ワード検出ステップで前記同期ワードを検出してから所定フレーム以内に、前記ＦＥＣデコードステップで再生した前記フレーム付加電気信号に含まれる前記同期ワードのうち許容値以下のビットエラーの同期ワードの連続をカウントして規定数に達したときにフレーム同期確立と判定し、前記前段同期ワード検出ステップで前記同期ワードを検出してから所定フレーム以内に、前記ＦＥＣデコードステップで再生した前記フレーム付加電気信号に含まれる前記同期ワードのうち許容値以下のビットエラーの同期ワードの連続をカウントして規定数に達しないときに、前記前段同期ワード検出ステップに戻る後段フレーム同期検出ステップと、
前記後段フレーム同期検出ステップの後、フレーム同期確立した前記フレーム付加電気信号から前記同期ワードを除去してデータ信号を再生するフレーム終端ステップと、
をコンピュータに実行させるための光受信プログラム。
【００９０】
（付記１８）
前記前段同期ワード検出ステップと前記ＦＥＣデコードステップとの間に、前記前段同期ワード検出ステップで検出する前記同期ワードのうち許容値以下のビットエラーの同期ワードの連続をカウントして規定数に達したときに仮フレーム同期確立と判定する前段フレーム同期検出ステップを、さらに備え、
前記ＦＥＣデコードステップは、前記仮フレーム同期確立によりエラー訂正を開始することを特徴とする付記１７に記載の光受信プログラム。
【００９１】
（付記１９）
前記前段フレーム同期検出ステップでのビットエラー数の許容値が、前記後段フレーム同期検出ステップでのビットエラー数の許容値よりも大きいことを特徴とする付記１８に記載の光受信プログラム。
【００９２】
（付記２０）
前記後段フレーム同期検出ステップでのカウントする許容値以下のビットエラーを有する同期ワードの連続する規定数が、前記前段フレーム同期検出ステップでのカウントする許容値以下のビットエラーを有する同期ワードの連続する規定数よりも大きいことを特徴とする付記１８又は１９に記載の光受信プログラム。
【産業上の利用可能性】
【００９３】
本発明は、光通信システムに利用することができる。
【符号の説明】
【００９４】
１０：光送信装置
１１：フレーム生成回路
１２：ＦＥＣエンコーダ
１３：スクランブラ
１５：電気光変換回路
２０：光受信装置
２１：フレーム終端回路
２２：ＦＥＣデコーダ
２３：デスクランブラ
２５：光電気変換回路
３１：前段同期ワード検出回路
３２：前段フレーム同期検出回路
３５：受信器フレーム同期表示出力回路
３６：後段フレーム同期検出回路
３７：後段同期ワード検出回路
４０：光ファイバ伝送路
７０：光送信装置
７１：フレーム生成回路
７２：ＦＥＣエンコーダ
７５：電気光変換回路
８０：光受信装置
８１：フレーム終端回路
８２：ＦＥＣデコーダ
８５：光電気変換回路
９１：同期ワード検出回路
９５：受信器フレーム同期表示回路
５００：ディジタルコヒレント光受信回路
５１１：偏波ビームスプリッタ
５１２：偏波ビームスプリッタ
５２１：光ハイブリッド回路
５２２：光ハイブリッド回路
５３１：Ｏ／Ｅ変換部
５３２：Ｏ／Ｅ変換部
５４１：Ａ／Ｄ変換部
５４２：Ａ／Ｄ変換部
５５０：ディジタル信号処理部
５６０：局部発振光源
【図１】
2012199817.tif 000003
【図２】
2012199817.tif 000004
【図３】
2012199817.tif 000005
【図４】
2012199817.tif 000006
【図５】
2012199817.tif 000007
【図６】
2012199817.tif 000008
【図７】
2012199817.tif 000009
【図８】
2012199817.tif 000010
【図９】
2012199817.tif 000011
【図１０】
2012199817.tif 000012
【図１１】
2012199817.tif 000013
【図１２】
2012199817.tif 000014
【図１３】
2012199817.tif 000015
【図１４】
2012199817.tif 000016
【図１５】
2012199817.tif 000017